(57)【特許請求の範囲】
【請求項１】
撮影レンズの撮影画面内の中央部に設定された中央の焦点検出領域と、前記中央の焦点検出領域の周囲に設定された少なくとも４つの第１、第２、第３及び第４の周辺の焦点検出領域とにおいて撮影レンズの焦点調節状態を検出する焦点検出手段と、
前記焦点検出領域を択一的に選択して切り換えるための切換操作部材と、
カメラの撮影姿勢を検出する姿勢検出手段と、
カメラの正位置撮影姿勢時において、前記中央の焦点検出領域が選択されている際に前記切換操作部材が操作されると、前記中央の焦点検出領域から、被写界の地平面を基準とした所定の方向にある前記周辺の焦点検出領域が選択され、更なる前記切換操作部材の操作に応じて、前記切換操作部材の操作毎に前記中央の焦点検出領域のまわりの所定の周回方向に沿って前記周辺の焦点検出領域が順次選択されて前記４つの周辺の焦点検出領域の全ての選択後に前記中央の焦点検出領域が再度選択されるように、前記焦点検出領域の切換順序を制御する領域切換手段と、
前記領域切換手段により切り換えられた焦点検出領域を表示する領域表示手段と、
前記領域切換手段により切り換えられた焦点検出領域において前記焦点検出手段により撮影レンズの焦点調節状態を検出し、その検出結果に基づいて撮影レンズを駆動制御する焦点調節手段とを備え、
前記第１、第２、第３、及び第４の周辺の焦点検出領域は、前記第１及び第３の周辺の焦点検出領域が前記中央の焦点検出領域を挟むように位置すると共に、前記第２及び第４の周辺の焦点検出領域が前記第１及び第３の周辺の焦点検出領域の並び方向にほぼ直角な方向で前記中央の焦点検出領域を挟むように位置するように、設定され、
前記領域切換手段は、前記姿勢検出手段により正位置撮影姿勢からの姿勢変化が検出されると、前記撮影画面内の前記中央及び周辺の焦点検出領域に対応する被写界の中央及び複数の周辺の焦点検出領域において、前記切換操作部材の操作に応じて前記中央の焦点検出領域の選択から、前記被写界の地平面を基準とした前記所定の方向にある前記周辺の焦点検出領域の選択及び前記所定の周回方向にある前記周辺の焦点検出領域の選択に順次切り換わるように、前記撮影画面内の前記中央及び周辺の焦点検出領域の切換順序を変更することを特徴とするカメラ。
【請求項２】
請求項１に記載のカメラにおいて、
前記切換操作部材は、前記所定の方向とは無関係な操作信号を出力する押しボタンスイッチであることを特徴とするカメラ。
【請求項３】
請求項１に記載のカメラにおいて、
前記切換操作部材は、前記所定の方向とは無関係な操作信号を出力するダイヤルであることを特徴とするカメラ。
【発明の詳細な説明】
【０００１】
【発明の属する技術分野】
本発明はカメラに関し、特に複数の焦点検出領域の切り換え方法を改善したものである。
【０００２】
【従来の技術】
撮影画面内に複数のフォーカスエリア（焦点検出領域または測距領域）を備えたカメラでは、一般に十字キーを用いて複数のフォーカスエリアの中から任意のフォーカスエリアを選択している。
【０００３】
【発明が解決しようとする課題】
ところが、いわゆるコンパクトカメラなどの小形カメラでは十字キーを設置するスペースを確保するのが難しく、設置したとしてもカメラ自体が小形であるからファインダーを覗きながら操作するのは難しいという問題がある。
【０００４】
そこで、小形カメラやコストを重視したカメラに対しては、フォーカスエリアを切り換えるための単一の操作部材、例えば押しボタンスイッチやコマンドダイヤルスイッチを設け、押しボタンスイッチが押されるたびに、あるいはコマンドダイヤルの１クリック回転ごとにフォーカスエリアを予め定めた順序で切り換える方法を採用することができる。
【０００５】
しかしながら、このような方法でフォーカスエリアを切り換えた場合、カメラを正位置撮影姿勢に構えた場合と、正位置以外の位置、例えば縦位置撮影姿勢に構えた場合とで、被写界の地平面や床面を基準としたフォーカスエリアの切り換わり方向と順序が変わってしまい、撮影者がとまどうという問題がある。
【０００６】
本発明の目的は、カメラの撮影姿勢の変化に拘わらず被写界におけるフォーカスエリアの切り換わり順序および方向を一定にすることにある。
【０００７】
【課題を解決するための手段】
（１）請求項１に記載の発明によるカメラは、撮影レンズの撮影画面内の中央部に設定された中央の焦点検出領域と、前記中央の焦点検出領域の周囲に設定された少なくとも４つの第１、第２、第３及び第４の周辺の焦点検出領域とにおいて撮影レンズの焦点調節状態を検出する焦点検出手段と、前記焦点検出領域を択一的に選択して切り換えるための切換操作部材と、カメラの撮影姿勢を検出する姿勢検出手段と、カメラの正位置撮影姿勢時において、前記中央の焦点検出領域が選択されている際に前記切換操作部材が操作されると、前記中央の焦点検出領域から、被写界の地平面を基準とした所定の方向にある前記周辺の焦点検出領域が選択され、更なる前記切換操作部材の操作に応じて、前記切換操作部材の操作毎に前記中央の焦点検出領域のまわりの所定の周回方向に沿って前記周辺の焦点検出領域が順次選択されて前記４つの周辺の焦点検出領域の全ての選択後に前記中央の焦点検出領域が再度選択されるように、前記焦点検出領域の切換順序を制御する領域切換手段と、前記領域切換手段により切り換えられた焦点検出領域を表示する領域表示手段と、前記領域切換手段により切り換えられた焦点検出領域において前記焦点検出手段により撮影レンズの焦点調節状態を検出し、その検出結果に基づいて撮影レンズを駆動制御する焦点調節手段とを備え、前記第１、第２、第３、及び第４の周辺の焦点検出領域は、前記第１及び第３の周辺の焦点検出領域が前記中央の焦点検出領域を挟むように位置すると共に、前記第２及び第４の周辺の焦点検出領域が前記第１及び第３の周辺の焦点検出領域の並び方向にほぼ直角な方向で前記中央の焦点検出領域を挟むように位置するように、設定され、前記領域切換手段は、前記姿勢検出手段により正位置撮影姿勢からの姿勢変化が検出されると、前記撮影画面内の前記中央及び周辺の焦点検出領域に対応する被写界の中央及び複数の周辺の焦点検出領域において、前記切換操作部材の操作に応じて前記中央の焦点検出領域の選択から、前記被写界の地平面を基準とした前記所定の方向にある前記周辺の焦点検出領域の選択及び前記所定の周回方向にある前記周辺の焦点検出領域の選択に順次切り換わるように、前記撮影画面内の前記中央及び周辺の焦点検出領域の切換順序を変更することを特徴とする。
【０００８】
【発明の実施の形態】
本願発明をコンパクト・デジタルカメラに適用した一実施の形態を説明する。なお、本願発明はコンパクト・デジタルカメラに限定されず、コンパクトカメラや一眼レフカメラなどの撮影画面内に複数のフォーカスエリアを有するあらゆるカメラに適用することができる。
【０００９】
図１(ａ)は一実施の形態のコンパクト・デジタルカメラの正面斜視図、図１(ｂ)は背面斜視図である。なお、このカメラの外観図では本願発明に直接、関係のないカメラの機器および部品についての図示と説明を省略する。カメラボディ１には撮影レンズ鏡筒２が取り付けられている。カメラボディ１の上面にはシャッターボタン３、フォーカスエリア切換ボタン４、液晶表示器５などが取り付けられている。また、カメラボディ１の背面には液晶モニター６、ファインダー接眼窓７などが取り付けられている。
【００１０】
図２は一実施の形態のコンパクト・デジタルカメラの構成を示す。なお、このカメラの構成図では本願発明に直接、関係のないカメラの機器および部品についての図示と説明を省略する。ＣＣＤ１１は撮影レンズ（不図示）により結像された被写体像を撮像する撮像素子であり、被写体像のアナログ画像信号を出力する。入力回路１２は、ＣＣＤ１１からのアナログ画像信号に対して撮像感度の変更（ゲイン調整）などの処理を行った後、Ａ／Ｄ変換し、設定された記録画素数（画像サイズ）への変更、階調補正（ガンマ補正）、エッジ強調、ホワイトバランス調整などの画像処理を行い、原画像データとして出力する。圧縮／伸長回路１３は、設定された圧縮率（画質モード）にしたがって原画像データを圧縮するとともに、圧縮画像データをもとの原画像データに伸長する。
【００１１】
焦点検出装置１４は、撮影レンズの撮影画面内に設定されたカメラの複数のフォーカスエリア（焦点検出領域または測距領域）において、各フォーカスエリアごとに撮影レンズの焦点調節状態を検出する。図３に、撮影レンズの撮影画面内のフォーカスエリアの配置を示す。この実施の形態のカメラは、撮影画面３１の中央にフォーカスエリア▲１▼を配置し、その中央エリア▲１▼を中心にして右側に右側エリア▲２▼、上側に上側エリア▲３▼、左側に左側エリア▲４▼、下側に下側エリア▲５▼をそれぞれ配置する。焦点検出装置１４はこれら５個のエリア▲１▼〜▲５▼のそれぞれにおいて焦点検出を行う。
【００１２】
姿勢センサー１５はカメラの撮影姿勢を検出する。この実施の形態では、カメラを正位置に構えた撮影姿勢、カメラボディ１の右手側を上にした右上縦位置撮影姿勢、カメラボディ１の左手側を上にした左上縦位置撮影姿勢、およびカメラを逆さにした逆位置撮影姿勢を検出する。シャッターボタンスイッチ３ａは、シャッターボタン３の押圧操作に応じた信号を出力する。フォーカスエリア切換スイッチ４ａは、フォーカスエリア切換ボタン４が押圧されるとオンするスイッチである。
【００１３】
コントローラー２０はＣＰＵ２０ａとメモリ２０ｂなどの周辺部品から構成され、デジタルカメラの各種演算とシーケンス制御を実行するとともに、後述するフォーカスエリア切換制御を行う。レンズ駆動装置２１は、焦点検出装置１４の焦点検出結果に応じて撮影レンズを合焦駆動する。バッファーメモリ２２は撮影後の原画像データおよび圧縮後の圧縮画像データを一時的に記憶するメモリであり、ＳＲＡＭ、ＶＲＡＭ、ＳＤＲＡＭなどを用いることができる。
【００１４】
モニター画像生成回路２３は、撮影モード設定時には撮像素子１により撮像した原画像データから表示用画像データを生成して液晶モニター６に表示するとともに、再生モード設定時にはメモリカード２５から読み出した圧縮画像データを圧縮／伸長回路１３により伸長し、モニター画像生成回路２３により表示用画像データを生成して表示する。モニター画像生成回路２３はまた、液晶モニター６に撮像素子１１で撮像した画像を表示しながら撮影を行う場合に、撮像画像に重畳して図３に示すカメラのフォーカスエリア▲１▼〜▲５▼を表示する。つまり、フォーカスエリア切換スイッチ４ａにより選択されたフォーカスエリアに対応するフォーカスフレームを撮像画像に重畳して液晶モニター６に表示し、現在どのフォーカスエリアが選択されているかを撮影者に知らせる。
【００１５】
表示駆動回路２４は、液晶表示器５の各表示セグメントを駆動して各種情報を表示する。メモリカード２５は取り外し可能な画像記録媒体であり、フラッシュメモリなどを用いることができる。
【００１６】
ファインダー内液晶表示器２７は、ファインダー接眼窓７から視認される被写体像に重畳して図３に示すカメラのフォーカスエリア▲１▼〜▲５▼を表示する表示器である。表示駆動回路２６は、フォーカスエリア切換スイッチ４ａにより選択されたフォーカスエリアに対応するファインダー液晶内表示器２７のフォーカスフレームのセグメントを点灯状態にし、現在どのフォーカスエリアが選択されているかを撮影者に知らせる。
【００１７】
次に、一実施の形態のカメラの撮影姿勢に応じたフォーカスエリアの切換制御を説明する。この一実施の形態では、上述したカメラ、すなわち撮影レンズの撮影画面内のフォーカスエリア▲１▼〜▲５▼に対して「被写界のフォーカスエリア」を定義する。被写界のフォーカスエリアは撮影画面内のフォーカスエリア▲１▼〜▲５▼に対応しており、被写界の地平面を基準とする中央、天側、地側、右側、左側の計５箇所に配置される。
【００１８】
この一実施の形態では、カメラの撮影姿勢が上述した正位置撮影姿勢、右上縦位置撮影姿勢、左上縦位置撮影姿勢、逆位置撮影姿勢のどの撮影姿勢にあっても、被写界中央のフォーカスエリアを出発点とし、被写界の地平面を基準としたフォーカスエリアの切り換わり方向とその経路を一定とする。
【００１９】
最初にフォーカスエリア切換ボタン４が押されたら、被写界中央のフォーカスエリアから被写界の右側のフォーカスエリアへ切り換える。引き続きフォーカスエリア切換ボタン４が押されるたびに、被写界右側のフォーカスエリアから被写界の天側のフォーカスエリアへ、次に被写界天側のフォーカスエリアから被写界の左側のフォーカスエリアへ、さらに被写界左側のフォーカスエリアから被写界の下側のフォーカスエリアへ、さらに被写界下側のフォーカスエリアから被写界中央のフォーカスエリアへ切り換える。
【００２０】
カメラの撮影姿勢がどのように変わっても、被写界におけるフォーカスエリアの切り換わり順序または方向を上述した順序（中央→右側→天側→左側→地側→中央）または方向とするために、この一実施の形態ではカメラの撮影姿勢に応じてカメラのフォーカスエリア▲１▼〜▲５▼を次のように切り換える。
【００２１】
カメラが正位置撮影姿勢にあるときは、図３に示すカメラの中央エリア▲１▼、右側エリア▲２▼、上側エリア▲３▼、左側エリア▲４▼、下側エリア▲５▼はそれぞれ、被写界の中央エリア、右側エリア、天側エリア、左側エリア、下側エリアに対応する。したがって、図４に示すように、フォーカスエリア切換ボタン４が押圧されるたびに中央エリア▲１▼→右側エリア▲２▼→上側エリア▲３▼→左側エリア▲４▼→下側エリア▲５▼→中央エリア▲１▼の順にカメラのフォーカスエリアを切り換える。
【００２２】
カメラが右上縦位置撮影姿勢にあるときは、図３に示すカメラの中央エリア▲１▼、右側エリア▲２▼、上側エリア▲３▼、左側エリア▲４▼、下側エリア▲５▼はそれぞれ、被写界の中央エリア、天側エリア、左側エリア、下側エリア、右側エリアに対応する。したがって、図５に示すように、フォーカスエリア切換ボタン４が押圧されるたびに中央エリア▲１▼→下側エリア▲５▼→右側エリア▲２▼→上側エリア▲３▼→左側エリア▲４▼→中央エリア▲１▼の順にカメラのフォーカスエリアを切り換える。
【００２３】
カメラが左上縦位置撮影姿勢にあるときは、図３に示すカメラの中央エリア▲１▼、右側エリア▲２▼、上側エリア▲３▼、左側エリア▲４▼、下側エリア▲５▼はそれぞれ、被写界の中央エリア、下側エリア、右側エリア、上側エリア、左側エリアに対応する。したがって、図６に示すように、フォーカスエリア切換ボタン４が押圧されるたびに中央エリア▲１▼→上側エリア▲３▼→左側エリア▲４▼→下側エリア▲５▼→右側エリア▲２▼→中央エリア▲１▼の順にカメラのフォーカスエリアを切り換える。
【００２４】
カメラが逆位置撮影姿勢にあるときは、図３に示すカメラの中央エリア▲１▼、右側エリア▲２▼、上側エリア▲３▼、左側エリア▲４▼、下側エリア▲５▼はそれぞれ、被写界の中央エリア、左側エリア、下側エリア、右側エリア、上側エリアに対応する。したがって、図７に示すように、フォーカスエリア切換ボタン４が押圧されるたびに中央エリア▲１▼→左側エリア▲４▼→下側エリア▲５▼→右側エリア▲２▼→上側エリア▲３▼→中央エリア▲１▼の順にカメラのフォーカスエリアを切り換える。
【００２５】
図８および図９は、フォーカスエリア切換制御プログラムを示すフローチャートである。これらのフローチャートにより、一実施の形態のフォーカスエリア切換動作を説明する。コントローラー２０は、フォーカスエリア切換スイッチ４ａがオンするとこのフォーカスエリア切換制御プログラムの実行を開始する。
【００２６】
ステップ１において、ファインダー内表示器２７により撮影画面中央のフォーカスフレームを点灯して中央エリア▲１▼を選択する。続くステップ２でフォーカスエリア切換スイッチ４ａがオンするとステップ３へ進み、姿勢センサー１５によりカメラの撮影姿勢を検出する。カメラの撮影姿勢が正位置姿勢のときはステップ４へ進み、撮影画面右側のフォーカスフレームを点灯して右側エリア▲２▼を選択する。次に、ステップ５でフォーカスエリア切換スイッチ４ａがオンするとステップ６へ進み、撮影画面上側のフォーカスフレームを点灯して上側エリア▲３▼を選択する。また、ステップ７でフォーカスエリア切換スイッチ４ａがオンするとステップ８へ進み、撮影画面左側のフォーカスフレームを点灯して左側エリア▲４▼を選択する。さらに、ステップ９でフォーカスエリア切換スイッチ４ａがオンするとステップ１０へ進み、撮影画面下側のフォーカスフレームを点灯して下側エリア▲５▼を選択する。そして、ステップ１１でフォーカスエリア切換スイッチ４ａがオンするとステップ１２へ進み、撮影画面中央のフォーカスフレームを点灯して中央エリア▲１▼を選択する。
【００２７】
ステップ３においてカメラの右上縦位置撮影姿勢が検出されるとステップ２１へ進み、撮影画面下側のフォーカスフレームを点灯して下側エリア▲５▼を選択する。次に、ステップ２２でフォーカスエリア切換スイッチ４ａがオンするとステップ２３へ進み、撮影画面右側のフォーカスフレームを点灯して右側エリア▲２▼を選択する。また、ステップ２４でフォーカスエリア切換スイッチ４ａがオンするとステップ２５へ進み、撮影画面上側のフォーカスフレームを点灯して上側エリア▲３▼を選択する。さらに、ステップ２６でフォーカスエリア切換スイッチ４ａがオンするとステップ２７へ進み、撮影画面左側のフォーカスフレームを点灯して左側エリア▲４▼を選択する。そして、ステップ１１でフォーカスエリア切換スイッチ４ａがオンするとステップ１２へ進み、撮影画面中央のフォーカスフレームを点灯して中央エリア▲１▼を選択する。
【００２８】
ステップ３においてカメラの左上縦位置撮影姿勢が検出されるとステップ３１へ進み、撮影画面上側のフォーカスフレームを点灯して上側エリア▲３▼を選択する。次に、ステップ３２でフォーカスエリア切換スイッチ４ａがオンするとステップ３３へ進み、撮影画面左側のフォーカスフレームを点灯して左側エリア▲４▼を選択する。また、ステップ３４でフォーカスエリア切換スイッチ４ａがオンするとステップ３５へ進み、撮影画面下側のフォーカスフレームを点灯して下側エリア▲５▼を選択する。さらに、ステップ３６でフォーカスエリア切換スイッチ４ａがオンするとステップ３７へ進み、撮影画面右側のフォーカスフレームを点灯して右側エリア▲２▼を選択する。そして、ステップ１１でフォーカスエリア切換スイッチ４ａがオンするとステップ１２へ進み、撮影画面中央のフォーカスフレームを点灯して中央エリア▲１▼を選択する。
【００２９】
ステップ３においてカメラの逆位置撮影姿勢が検出されるとステップ４１へ進み、撮影画面左側のフォーカスフレームを点灯して左側エリア▲４▼を選択する。次に、ステップ４２でフォーカスエリア切換スイッチ４ａがオンするとステップ４３へ進み、撮影画面下側のフォーカスフレームを点灯して下側エリア▲５▼を選択する。また、ステップ４４でフォーカスエリア切換スイッチ４ａがオンするとステップ４５へ進み、撮影画面右側のフォーカスフレームを点灯して右側エリア▲２▼を選択する。さらに、ステップ４６でフォーカスエリア切換スイッチ４ａがオンするとステップ４７へ進み、撮影画面上側のフォーカスフレームを点灯して上側エリア▲３▼を選択する。そして、ステップ１１でフォーカスエリア切換スイッチ４ａがオンするとステップ１２へ進み、撮影画面中央のフォーカスフレームを点灯して中央エリア▲１▼を選択する。
【００３０】
このように、正位置撮影姿勢からの姿勢変化が検出されると、撮影画面内の複数のフォーカスエリアに対応する被写界の複数のフォーカスエリアが所定の順序で切り換わるように、撮影画面内の複数のフォーカスエリアの切り換え順序を変更するようにしたので、どのような撮影姿勢でフォーカスエリア切換ボタンを操作しても被写界におけるフォーカスエリアの切り換わり順序が常に一定になり、撮影姿勢を変えるたびに被写界のフォーカスエリアの切り換わり順序が変わって撮影者が違和感を感じるようなことはない。
【００３１】
また、正位置撮影姿勢からの姿勢変化が検出されると、撮影画面内の複数のフォーカスエリアに対応する被写界の複数のフォーカスエリアにおいて、フォーカスエリアが所定の方向のフォーカスエリア焦点検出領域に切り換わるように、撮影画面内の複数のフォーカスエリアの切り換え順序を変更するようにしたので、どのような撮影姿勢でフォーカスエリア切換ボタンを操作しても被写界におけるフォーカスエリアの切り換わり方向が常に一定になり、撮影姿勢を変えるたびに被写界のフォーカスエリアの切り換わり方向が変わって撮影者が違和感を感じるようなことはない。
【００３２】
特許請求の範囲の構成要素と一実施の形態の構成要素との対応関係は次の通りである。すなわち、焦点検出手段として一実施の形態では焦点検出装置１４によって構成される例を示したが、例えば主要被写体までの撮影距離を測定して撮影レンズの焦点調節状態を検出する測距装置によって構成してもよい。切換操作部材はフォーカスエリア切換ボタン４およびフォーカスエリア切換スイッチ４ａによって構成される例を示したが、例えばコマンドダイヤルを用い、コマンドダイヤルの１クリックごとにフォーカスエリアを切り換えるようにしてもよい。
【００３３】
姿勢検出手段としてカメラの正位置撮影姿勢、右上縦位置撮影姿勢、左上縦位置撮影姿勢および逆位置撮影姿勢を検出する姿勢センサー１５を例に上げて説明したが、検出する撮影姿勢は上述した一実施の形態の撮影姿勢に限定されない。また、領域切換手段はコントローラー２０のＣＰＵ２０ａによって構成される例を示した。領域表示手段として表示駆動回路２６およびファインダー内表示器２７を例に上げて説明したが、液晶モニター６に撮像素子１１で撮像した画像を表示しながら撮影を行う場合には、モニター画像生成回路２３によって選択フォーカスエリアに対応するフォーカスフレームを撮像画像に重畳して液晶モニター６に表示すればよい。さらに、焦点調節手段はコントローラー２０およびレンズ駆動装置２１によって構成される例を示した。なお、本発明の特徴的な機能を損なわない限り、各構成要素は上記構成に限定されるものではない。
【００３４】
なお、上述した一実施の形態では、図３に示すような撮影画面３１の中央と左右上下に計５個のフォーカスエリアを配置した場合を例に上げて説明したが、フォーカスエリアの個数と配置はこの一実施の形態の個数と配置に限定されるものではない。
【００３５】
また、上述した一実施の形態では、姿勢センサー１５によってカメラの正位置撮影姿勢、右上縦位置撮影姿勢、左上縦位置撮影姿勢および逆位置撮影姿勢を検出し、正位置撮影位置からの姿勢変化に応じてフォーカスエリアの切り換え順序を変更する例を示したが、上記以外の撮影姿勢も所定の角度ごとにあるいは連続的に検出し、正位置撮影位置からの姿勢変化に応じてフォーカスエリアの切り換え順序を変更するようにしてもよい。
【００３６】
【発明の効果】
以上説明したように本発明によれば、カメラの撮影姿勢の変化に拘わらず被写界におけるフォーカスエリアの切り換わり順序および方向を一定にすることができる。
【図面の簡単な説明】
【図１】  (ａ)は一実施の形態のコンパクト・デジタルカメラの正面斜視図、(ｂ)は背面斜視図である。
【図２】  一実施の形態のコンパクト・デジタルカメラの構成を示す図である。
【図３】  撮影レンズの撮影画面内のフォーカスエリアの配置を示す図である。
【図４】  カメラが正位置撮影姿勢にあるときの撮影画面内のフォーカスエリアの切り換わり順序を示す図である。
【図５】  カメラが右上縦位置撮影姿勢にあるときの撮影画面内のフォーカスエリアの切り換わり順序を示す図である。
【図６】  カメラが左縦位置撮影姿勢にあるときの撮影画面内のフォーカスエリアの切り換わり順序を示す図である。
【図７】  カメラが逆位置撮影姿勢にあるときの撮影画面内のフォーカスエリアの切り換わり順序を示す図である。
【図８】  一実施の形態のフォーカスエリアの切換制御を示すフローチャートである。
【図９】  図８に続く、一実施の形態のフォーカスエリアの切換制御を示すフローチャートである。
【符号の説明】
１  カメラボディ
２  撮影レンズ鏡筒
３  シャッターボタン
３ａ  シャッターボタンスイッチ
４  フォーカスエリア切換ボタン
４ａ  フォーカスエリア切換スイッチ
５  液晶表示器
６  液晶モニター
７  ファインダー接眼窓
１１  撮影素子
１２  入力回路
１３  圧縮／伸張回路
１４  焦点検出装置
１５  姿勢センサー
２１  レンズ駆動装置
２２  バッファーメモリ
２３  モニター画像生成回路
２４  表示駆動回路
２５  メモリーカード
２６  表示駆動回路
２７  ファインダー内表示器
３１  撮影画面
【図１】
0004476535.tif 000002
【図２】
0004476535.tif 000003
【図３】
0004476535.tif 000004
【図４】
0004476535.tif 000005
【図５】
0004476535.tif 000006
【図６】
0004476535.tif 000007
【図７】
0004476535.tif 000008
【図８】
0004476535.tif 000009
【図９】
0004476535.tif 000010